(57)【要約】【課題】室外から入射する太陽光を効率良く室内に導くことができるとともに、採光量を調節することができる出窓採光装置を提供する。【解決手段】建物Ｔの躯体から張り出す上部６および下部７と、上部６と下部７との間に設置された窓部９および側部８と、上部６に形成された採光用開口部６ａと、上部６にその上端が固定されるとともに、窓部９と採光用開口部６ａとの間及び採光用開口部６ａの下方に配置されて採光用開口部６ａから入射する光を室内に向けて反射させる反射部材４と、を備えた出窓採光装置１であって、下部７には、被係合部材３０（４０）が設けられるとともに、反射部材４の下端には、被係合部材３０（４０）と係合可能な係合部材１０（２０）が設けられ、被係合部材３０（４０）と係合部材１０（２０）との係合位置を変更することにより、窓部９に対する反射部材４の角度θが調節されることを特徴とする。【選択図】図２
2010138660.tif 000002
【特許請求の範囲】
【請求項１】
建物の躯体から張り出す上部および下部と、前記上部と前記下部との間に設置された窓部および側部と、前記上部に形成された採光用開口部と、前記上部にその上端が固定されるとともに、前記窓部と前記採光用開口部との間及び前記採光用開口部の下方に配置されて前記採光用開口部から入射する光を室内に向けて反射させる反射部材と、を備えた出窓採光装置であって、
前記下部には、被係合部材が設けられるとともに、
前記反射部材の下端には、前記被係合部材と係合可能な係合部材が設けられ、
前記被係合部材と前記係合部材との係合位置を変更することにより、前記窓部に対する前記反射部材の角度が調節されることを特徴とする出窓採光装置。
【請求項２】
建物の躯体から張り出す上部および下部と、前記上部と前記下部との間に設置された窓部および側部と、前記下部に形成された採光用開口部と、前記下部にその下端が固定されるとともに、前記窓部と前記採光用開口部との間及び前記採光用開口部の上方に配置されて前記採光用開口部から入射する光を室内に向けて反射させる反射部材と、を備えた出窓採光装置であって、
前記上部には、被係合部材が設けられるとともに、
前記反射部材の上端には、前記被係合部材と係合可能な係合部材が設けられ、
前記被係合部材と前記係合部材との係合位置を変更することにより、前記窓部に対する前記反射部材の角度が調節されることを特徴とする出窓採光装置。
【請求項３】
建物の躯体から張り出す上部および下部と、前記上部と前記下部との間に設置された窓部および側部と、前記側部に形成された採光用開口部と、前記上部及び前記下部にその基端が固定されるとともに、前記採光用開口部の内側に配置されて前記採光用開口部から入射する光を室内に向けて反射させる反射部材と、を備えた出窓採光装置であって、
前記上部及び前記下部には、被係合部が設けられるとともに、
前記反射部材の先端には、前記被係合部と係合可能な係合部材が設けられ、
前記被係合部と前記係合部材との係合位置を変更することにより、前記側部に対する前記反射部材の角度が調節されることを特徴とする出窓採光装置。
【請求項４】
前記反射部材は、開閉可能であり、閉じた状態にあるときに前記窓部又は前記側部を覆うことを特徴とする請求項１乃至請求項３のいずれか一項に記載の出窓採光装置。
【請求項５】
前記反射部材は、ロールスクリーンの一部を構成するスクリーンまたはブラインドの一部を構成するスラットであることを特徴とする請求項１乃至請求項４のいずれか一項に記載の出窓採光装置。
【請求項６】
前記反射部材は、前記窓部および前記側部のうち少なくとも一方が通風可能になるように設置されていることを特徴とする請求項１乃至請求項５のいずれか一項に記載の出窓採光装置。
【請求項７】
前記反射部材は、網状に形成されていることを特徴とする請求項１乃至請求項６のいずれか一項に記載の出窓採光装置。
【請求項８】
前記反射部材は、複数の通風孔または通風スリットを有することを特徴とする請求項１乃至請求項７のいずれか一項に記載の出窓採光装置。
【請求項９】
前記反射部材の反射面は、拡散反射面または明色から成ることを特徴とする請求項１乃至請求項８のいずれか一項に記載の出窓採光装置。
【請求項１０】
前記反射部材の反射面は、金属素材、樹脂素材、繊維素材、または前記金属素材と前記樹脂素材との複合素材から成ることを特徴とする請求項１乃至請求項９のいずれか一項に記載の出窓採光装置。
【請求項１１】
前記採光用開口部に光ダクトが連結されていることを特徴とする請求項１乃至請求項１０のいずれか一項に記載の出窓採光装置。
【発明の詳細な説明】
【技術分野】
【０００１】
本発明は、建物内に光を採り入れる出窓採光装置に関する。
【背景技術】
【０００２】
従来、室外に光ダクトを設置するとともに、建物の窓から離間した場所に光ダクトの放光口を設置して、室内へ太陽光を入射させる採光装置が開示されている（特許文献１参照。）。
【特許文献１】実開昭５１−１０６１３５号公報
【発明の開示】
【発明が解決しようとする課題】
【０００３】
特許文献１に記載の採光装置では、放光口が窓から離間して設置されているため、放光口から窓に入射する間に光が拡散し、窓から室内へ入射する太陽光の量が減少していた。また、特許文献１に記載の採光装置では、遮光手段がないため、光ダクトから室内に太陽光が絶えず入射し、太陽光の採光量を調節することができなかった。
【０００４】
本発明は、かかる問題を解決するために創案されたものであり、室外から入射する太陽光を効率良く室内に導くことができるとともに、採光量を調節することができる出窓採光装置を提供することを課題とする。
【課題を解決するための手段】
【０００５】
前記課題を解決するために、本発明は、建物の躯体から張り出す上部および下部と、前記上部と前記下部との間に設置された窓部および側部と、前記上部に形成された採光用開口部と、前記上部にその上端が固定されるとともに、前記窓部と前記採光用開口部との間及び前記採光用開口部の下方に配置されて前記採光用開口部から入射する光を室内に向けて反射させる反射部材と、を備えた出窓採光装置であって、前記下部には、被係合部材が設けられるとともに、前記反射部材の下端には、前記被係合部材と係合可能な係合部材が設けられ、前記被係合部材と前記係合部材との係合位置を変更することにより、前記窓部に対する前記反射部材の角度が調節されることを特徴とする。
尚、採光用開口部を開閉可能に覆う蓋部を設けることが望ましい。
【０００６】
本発明によれば、出窓採光装置の上部に採光用開口部が形成されるとともに、採光用開口部の下方に反射部材が配置されて、採光用開口部から入射する太陽光を室内に向けて反射させるので、太陽光を効率良く室内に導くことができる。
また、下部に被係合部材が設けられるとともに、反射部材の下端に被係合部材と係合可能な係合部材が設けられ、被係合部材と係合部材との係合位置を変更することにより、窓部に対する反射部材の角度を調節できるため、採光用開口部から入射した太陽光の採光量を調節することができる。
【０００７】
また、前記課題を解決するために、本発明は、建物の躯体から張り出す上部および下部と、前記上部と前記下部との間に設置された窓部および側部と、前記下部に形成された採光用開口部と、前記下部にその下端が固定されるとともに、前記窓部と前記採光用開口部との間及び前記採光用開口部の上方に配置されて前記採光用開口部から入射する光を室内に向けて反射させる反射部材と、を備えた出窓採光装置であって、前記上部には、被係合部材が設けられるとともに、前記反射部材の上端には、前記被係合部材と係合可能な係合部材が設けられ、前記被係合部材と前記係合部材との係合位置を変更することにより、前記窓部に対する前記反射部材の角度が調節されることを特徴とする。
【０００８】
本発明によれば、出窓採光装置の下部に採光用開口部が形成されるとともに、採光用開口部の上方に反射部材が配置されて、採光用開口部から入射する太陽光を室内に向けて反射させるので、太陽光を効率良く室内に導くことができる。
また、上部に被係合部材が設けられるとともに、反射部材の上端に被係合部材と係合可能な係合部材が設けられ、被係合部材と係合部材との係合位置を変更することにより、窓部に対する反射部材の角度を調節できるため、採光用開口部から入射した太陽光の採光量を調節することができる。
【０００９】
さらに、前記課題を解決するために、本発明は、建物の躯体から張り出す上部および下部と、前記上部と前記下部との間に設置された窓部および側部と、前記側部に形成された採光用開口部と、前記上部及び前記下部にその基端が固定されるとともに、前記採光用開口部の内側に配置されて前記採光用開口部から入射する光を室内に向けて反射させる反射部材と、を備えた出窓採光装置であって、前記上部及び前記下部には、被係合部が設けられるとともに、前記反射部材の先端には、前記被係合部と係合可能な係合部材が設けられ、前記被係合部と前記係合部材との係合位置を変更することにより、前記側部に対する前記反射部材の角度が調節されることを特徴とする。
【００１０】
本発明によれば、出窓採光装置の側部に採光用開口部が形成されるとともに、採光用開口部の内側に反射部材が配置されて、採光用開口部から入射する太陽光を室内に向けて反射させるので、太陽光を効率良く室内に導くことができる。
また、上部及び下部に被係合部が設けられるとともに、反射部材の先端に被係合部と係合可能な係合部材が設けられ、被係合部と係合部材との係合位置を変更することにより、側部に対する反射部材の角度を調節できるため、採光用開口部から入射した太陽光の採光量を調節することができる。
【００１１】
また、前記反射部材は、開閉可能である。閉じた状態にすると前記窓部又は前記側部を覆うことが可能であるが、閉じる度合いを調節できるため、室内への採光の自由度が高まる。
【００１２】
また、前記反射部材は、ロールスクリーンの一部を構成するスクリーンまたはブラインドの一部を構成するスラットであることが好ましい。このようにすると、室内への太陽光の採光および遮光を行うことができるため、採光の自由度が高まる。特に、ブラインドの一部を構成するスラットで反射部材を形成する場合には、スラットの角度を調節することにより、採光用開口部から入射する太陽光を確実に室内に導くことができるとともに、窓からの眺望性および窓の通風性を確保することができる。
【００１３】
また、前記反射部材は、前記窓部および前記側部のうち少なくとも一方が通風可能になるように設置されていることが好ましい。このようにすると、窓の通風性を確保しつつ、太陽光を効率良く室内に導くことができる。
【００１４】
また、前記反射部材は、網状に形成されていること、または複数の通風孔もしくは通風スリットを有することが好ましい。このようにすると、窓の通風性を確保しつつ、採光用開口部から入射する太陽光を効率良く室内に導くことができる。
【００１５】
また、前記反射部材の反射面は、拡散反射面または明色から成ることが好ましい。反射面を拡散反射面にすると、拡散反射面で反射した太陽光が、室内に向かって均一に広がるため、太陽光のムラをなくすことができ、室内全体を均一に明るくすることができる。また、反射部材の反射面を明色にすることにより、適度な明るさを確保しつつ、眩しさを軽減することができる。
【００１６】
また、前記反射部材の反射面は、金属素材、樹脂素材、繊維素材、または前記金属素材と前記樹脂素材との複合素材から成ることが好ましい。
【００１７】
また、前記採光用開口部に光ダクトが連結されていることが好ましい。このようにすると、建物内の暗い場所にも太陽光を導くことができ、安定した明るさを確保することが可能となる。
【発明の効果】
【００１８】
本発明に係る出窓採光装置によれば、室外から入射する太陽光を効率良く室内に導くことができるとともに、採光量を調節することができる。
【発明を実施するための最良の形態】
【００１９】
次に、本発明の実施形態について、適宜図面を参照しながら説明する。本実施形態では、本発明を戸建て住宅の出窓に適用した場合を例にして説明する。尚、以下の記載において、戸建て住宅を、「建物Ｔ」という。
【００２０】
第１の実施形態に係る出窓採光装置１は、図２に示すように、出窓ユニット２と、光ダクト３と、反射部材４と、角度調節機構Ａとから主に構成されている。
【００２１】
出窓ユニット２は、図１および図２に示すように、平面視台形状を呈し、建物Ｔの外壁面から突出して形成されている。すなわち、出窓ユニット２は、図２に示すように、建物Ｔの躯体に設けられた開口部Ｋから建物外側に突出するように設けられており、枠５と、上部６と、下部７と、一対の側部８，８と、窓部９とから主に構成されている。
尚、本実施形態では、建物Ｔの躯体とは、建物Ｔの壁体、柱、梁などである。以下、単に「躯体」という。
【００２２】
枠５は、アルミニウム合金製の押出形材から成り、建物Ｔの躯体から張り出すとともに、建物Ｔの躯体に形成された開口部Ｋを囲むようにして、躯体に固定されている。本実施形態の枠５は、一対の袖枠ユニットＵ１，Ｕ１と、正面枠ユニットＵ２とから主に構成されている。
【００２３】
袖枠ユニットＵ１は、開口部Ｋの側縁部に沿って躯体に取り付けられた縦枠５ａと、縦枠５ａから離間して設置された方立５ｂと、縦枠５ａおよび方立５ｂの上端間に架け渡された袖上枠５ｃと、縦枠５ａおよび方立５ｂの下端間に架け渡された袖下枠５ｄとから構成されており、四角枠状に組み合わされている。つまり、縦枠５ａは、袖上枠５ｃおよび袖下枠５ｄを介して、方立５ｂと連結している。縦枠５ａおよび方立５ｂは、ねじ止めなどにより機械的に袖上枠５ｃおよび袖下枠５ｄに接合されるとともに、縦枠５ａは、ねじ止めなどにより機械的に躯体に固定されている。
【００２４】
正面枠ユニットＵ２は、一対の方立５ｂ，５ｂの上端間および下端間にそれぞれ架け渡された正面上枠５ｅおよび正面下枠５ｆとから構成されており、四角枠状に組み合わされている。正面上枠５ｅおよび正面下枠５ｆは、方立５ｂ，５ｂに接合されている。尚、本実施形態では、袖枠ユニットＵ１の方立５ｂは、正面枠ユニットＵ２の縦枠として兼用されている。
【００２５】
上部６は、平面視台形状を呈し、例えば、天板や屋根カバーなどから成る。上部６は、枠５の上面に取り付けられている。すなわち、上部６は、枠５の上面を覆うように設けられていて、例えば、ねじ止めなどにより機械的に枠５に固定されている。
上部６には、上下方向に貫通する採光用開口部６ａが設けられている。採光用開口部６ａは、本実施形態では、平面視四角形状を呈している。
【００２６】
また、蓋部６ｂが採光用開口部６ａを開閉可能に覆うように設けられている。蓋部６ｂは、採光用開口部６ａに対応する形状を有し、その一端がヒンジ（図示省略）を介して採光用開口部６ａの開口縁に取り付けられている。蓋部６ｂは、閉時において図示しない保持手段を用いることにより、採光用開口部６ａを覆った状態を保持することができる。
尚、開時において蓋部６ｂを上部６に対して略平行な状態にするために、図示しないフック状部材を上部６の下面に設けるとともに、図示しない環状部材を蓋部６ｂの上面に設けて、蓋部６ｂをフック状部材に掛止してもよい。また、蓋部６ｂは、採光用開口部６ａに対して嵌脱自在に設けられても勿論差し支えない。
【００２７】
下部７は、平面視台形状を呈し、例えば、受台カバーや地板などから成る。下部７は、枠５の下面に取り付けられている。すなわち、下部７は、枠５の下面を覆うように設けられていて、例えば、ねじ止めなどにより機械的に枠５に固定されている。本実施形態の下部７は、上部６と対向して平行に設けられている。
また、下部７には、図２および図３に示すように、反射部材４と交差する方向（直交する方向）に断面視逆台形状の溝部７１が形成されている。前記溝部７１には、後記するレール部材３０が取り付けられている。
【００２８】
側部８は、本実施形態では、窓であり、正面視略矩形状を呈し、例えば、ガラス板などから形成されている。本実施形態の側部８は、片開き窓であり、開閉可能に設けられている。側部８は、枠５の側面に取り付けられている。すなわち、側部８は、上部６と下部７との間に設置されるとともに、窓部９の両側に配置されており、躯体の開口部Ｋを挟んでハ字状に対向している。また、側部８は、採光用開口部６ａの側方に位置している。
【００２９】
窓部９は、正面視略矩形状を呈し、例えば、ガラス板などから形成されている。本実施形態の窓部９は、引き違い窓であり、開閉可能に設けられている。窓部９は、枠５の正面に取り付けられている。すなわち、窓部９は、上部６と下部７との間に設置されるとともに、一対の側部８，８間に配置されており、躯体の開口部Ｋに対して平行に設置されている。また、窓部９は、採光用開口部６ａの前方に位置している。
【００３０】
光ダクト３は、太陽光を建物Ｔ内に導く役割を果している。光ダクト３は、図１に示すように、建物Ｔの高さ方向に沿って、外壁に取り付けられている。光ダクト３は、固定部材Ｒを介して、建物Ｔの外壁に固定されている。光ダクト３の内面には、反射面が設けられている。反射面は、例えば、金属素材、樹脂素材、繊維素材、または金属素材と樹脂素材との複合素材などから形成されており、特に、リサイクルという観点からアルミニウム合金を用いるのが好ましい。
【００３１】
また、光ダクト３は、採光口３ａおよび放光口３ｂを備えている。すなわち、光ダクト３の採光口３ａ（一端）は、建物外の場所に開口しており、放光口３ｂ（他端）は、上部６に設けられた採光用開口部６ａに連通している。図示は省略するが、光ダクト３の採光口３ａおよび放光口３ｂは、透光性素材からなる透光カバーで覆われる。光ダクト３は、例えば、ねじ止めなどの機械的接合もしくは接着剤などの手段により出窓ユニット２に取り付けられている。
かかる構成により、光ダクト３の採光口３ａに入射した太陽光は、反射を繰り返しながら光ダクト３内を進み、放光口３ｂを通じて出窓ユニット２内へ放光され、建物Ｔ内へ入射する。
【００３２】
反射部材４は、光ダクト３から出窓ユニット２内に入射する太陽光を建物Ｔの室内側に向けて反射させる役割を果たす。
本実施形態の反射部材４は、図２に示すように、ロールスクリーンの一部を構成するスクリーン４４の片面（室内側の面）に反射面を設けたものであり、採光用開口部６ａの下方（下側）に配置されている。反射部材４は、採光用開口部６ａより室外側（前方側）に配置されるとともに、窓部９より室内側（後方側）に配置されている。すなわち、反射部材４は、採光用開口部６ａと窓部９との間に位置している。
また、反射部材４は、開閉可能であり、閉じると窓部９を覆うことができる。尚、本実施形態において、開閉可能とは、巻き取り及び引き出し可能なことをいう。
【００３３】
本実施形態のロールスクリーンは、フレーム４１と、一対の支持ブラケット４２，４２と、巻取軸４３と、スクリーン４４と、ウェイトバー４５とから主に構成されている。
【００３４】
フレーム４１は、取付ブラケット（図示省略）を介して、上部６の下面に固定されている。また、一対の支持ブラケット４２，４２は、フレーム４１の両端部に取り付けられ、この支持ブラケット４２，４２間に巻取軸４３が回転自在な状態で取り付けられている。
また、巻取軸４３の一端には、プーリー（図示省略）が取り付けられ、そのプーリーに無端状の操作チェーン（図示省略）が掛装されている。
【００３５】
スクリーン４４（反射部材４）は、巻取軸４３に巻回されており、スクリーン４４の下端側（先端側）を引き出し可能となっている。スクリーン４４の上端（基端）は、フレーム４１、支持ブラケット４２及び巻取軸４３を介して上部６に固定されている。スクリーン４４の片面（室内側の面）には、反射面が設けられている。この反射面は、例えば、アルミニウムや銀などの金属を蒸着したものや、プラスチックやポリエステルフィルムなどの樹脂素材に金属を蒸着したものや、反射面（層）に白色調の塗膜を形成したものなどである。
また、本実施形態の反射面は、光を拡散反射するように形成されている。すなわち、本実施形態の反射面は、微細な凹凸が形成されている拡散反射面である。
【００３６】
ウェイトバー４５は、スクリーン４４の下端に取り付けられている。ウェイトバー４５には、連結部材１１が取り付けられている。
【００３７】
連結部材１１は、図３に示すように、反射部材４と位置決め用クリップ１０とを連結する部材であり、線状部材１１ａとリング状部材１１ｂとから主に構成されている。
【００３８】
線状部材１１ａは、例えば、合成樹脂、炭素繊維などの材料から成る物を使用する。線状部材１１ａの一端は、ウェイトバー４５に取り付けられている。
また、線状部材１１ａの他端は、リング状部材１１ｂに結び付けられている。リング状部材１１ｂは、正面視円形状を呈し、位置決め用クリップ１０の貫通孔１０ｆに挿通されている。
【００３９】
角度調節機構Ａは、反射部材４の角度を調節する機能を有し、図３に示すように、係合部材たる位置決め用クリップ１０と、被係合部材たるレール部材３０とから主に構成されている。位置決め用クリップ１０は、図３に示すように、連結部材１１を介して反射部材４に連結している。
【００４０】
位置決め用クリップ１０は、レール部材３０に嵌まる部分（係合する部分）と、持ち手部分とから構成されている。
位置決め用クリップ１０は、図４に示すように、１枚の長方形の板ばね部材を５箇所で折り曲げ、底部１０ａ、一対の押圧部１０ｂ，１０ｂ、一対の当接部１０ｃ，１０ｃ、一対の力点部１０ｄ，１０ｄとすることで形成（折曲形成）されている。位置決め用クリップ１０は、底部１０ａを基準にして左右対称に折曲形成されている。
尚、底部１０ａと押圧部１０ｂは鈍角をなし、押圧部１０ｂと当接部１０ｃは略垂直角をなし、当接部１０ｃと力点部１０ｄは鋭角をなす。
【００４１】
底部１０ａは、曲面形状を呈している。
押圧部１０ｂは、底部１０ａの側縁から上方に向かって延出している。押圧部１０ｂは、レール部材３０の側面部３０ｂと平行になるように折曲形成されている（図５（ｂ）参照）。左右の押圧部１０ｂ，１０ｂは、逆ハ字状に対向している。また、押圧部１０ｂの外面には、滑り止め用のゴムシート１０ｅが貼着されている。ゴムシート１０ｅは、位置決め用クリップ１０をレール部材３０の所望の位置に設定した際に、レール部材３０の側面部３０ｂに当接（面接触）し、位置決め用クリップ１０が所望の位置から移動するのを阻止する。
尚、押圧部１０ｂの上下方向の長さは、位置決め用クリップ１０をレール部材３０に挿入した際に、当接部１０ｃがレール部材３０の係合部３０ｆに当接（面接触）するように調節されている（図５（ｂ）参照）。
【００４２】
当接部１０ｃは、押圧部１０ｂの上端から内側（位置決め用クリップ１０の中心側）に向かって延出している。
【００４３】
力点部１０ｄは、当接部１０ｃの内側から上方に向かって延出している。左右の力点部１０ｄ，１０ｄは、逆ハ字状に対向している。一対の力点部１０ｄのうちいずれか一方（本実施形態では図４の紙面左側の力点部１０ｄ）には、板厚方向に貫通する貫通孔１０ｆが形成されている。貫通孔１０ｆには、連結部材１１のリング状部材１１ｂが挿通されている（図３参照）。
【００４４】
レール部材３０は、図２および図３に示すように、溝部７１に沿って下部７に取り付けられており、溝部７１の長手方向に沿って延在する底面部３０ａと、底面部３０ａの両側縁から上方に向かって延出された一対の側面部３０ｂ，３０ｂと、側面部３０ｂの上端から側方に向かって延出された一対のフランジ部３０ｃ，３０ｃとから主に構成されている。
尚、底面部３０ａ、側面部３０ｂおよびフランジ部３０ｃは一体的に成形されている。
【００４５】
底面部３０ａは、平面視略矩形状を呈し、溝部７１の底面に沿って設けられている。底面部３０ａの外面は、溝部７１の底面（内面）に密接している。
【００４６】
側面部３０ｂ，３０ｂは、底面部３０ａを挟んで断面視逆ハ字状に形成されており、溝部７１の側面に沿って設けられている。側面部３０ｂの外面は、溝部７１の側面（内面）に密接している。
【００４７】
レール部材３０には、底面部３０ａと側面部３０ｂとによって囲繞された空間部３０ｄが形成されている。空間部３０ｄには、位置決め用クリップ１０が挿入される（図５（ｂ）参照）。
【００４８】
フランジ部３０ｃは、平面視矩形状を呈し、下部７の上面に沿って溝部７１の長手方向に延在している。フランジ部３０ｃは、下部７の上面に当接した状態において、ねじ止めにより機械的に下部７に固定されている。また、フランジ部３０ｃには、空間部３０ｄの一部を上方から覆う係合部３０ｆが形成されている。
係合部３０ｆは、フランジ部３０ｃの短手方向の一端を側面部３０ｂの上端から内側（レール部材３０の中心側）へ張り出すことによって形成されている。これにより、位置決め用クリップ１０がレール部材３０の上方から抜け出すことを阻止することができる。
また、係合部３０ｆ，３０ｆ間には、上下方向に貫通する開口部３０ｅが形成されている。これにより位置決め用クリップ１０が空間部３０ｄに挿入可能になっている。
【００４９】
次に、位置決め用クリップ１０の固定方法について、図５（ａ）および（ｂ）を参照して説明する。
【００５０】
図５（ａ）に示すように、両方の力点部１０ｄ，１０ｄを内側（位置決め用クリップ１０の中心側）へ押圧すると、力点部１０ｄ，１０ｄが接近するとともに、これに連動して当接部１０ｃ，１０ｃが接近し、さらに押圧部１０ｂ，１０ｂも接近する。
そして、位置決め用クリップ１０がレール部材３０の開口部３０ｅに挿通可能な程度まで力点部１０ｄを押圧し、接近状態の位置決め用クリップ１０を開口部３０ｅから空間部３０ｄに挿入する。
位置決め用クリップ１０を空間部３０ｄに挿入し、位置決め用クリップ１０の底部１０ａがレール部材３０の底面部３０ａに当接したところで力点部１０ｄへの押圧を解除する。このとき、力点部１０ｄの一部のみが開口部３０ｅから露出した状態になる。
両方の力点部１０ｄ，１０ｄへの押圧を解除すると、力点部１０ｄ，１０ｄ同士が離間するとともに、これに連動して当接部１０ｃ，１０ｃ同士が離間し、さらに押圧部１０ｂ，１０ｂ同士も離間する（図５（ｂ）参照）。そして、押圧部１０ｂに貼着されたゴムシート１０ｅの外面がレール部材３０の側面部３０ｂに当接（面接触）するとともに、底部１０ａと押圧部１０ｂの境界の折曲部の弾力性により、押圧部１０ｂがゴムシート１０ｅを介して側面部３０ｂを押圧する（図５（ｂ）参照）。
この底部１０ａと押圧部１０ｂの境界の折曲部の弾力性およびゴムシート１０ｅにより、位置決め用クリップ１０のレール部材３０に対する相対的な移動を確実に阻止することができる。
また、当接部１０ｃは、レール部材３０の係合部３０ｆの下面に当接（面接触）する。
これにより、空間部３０ｄに挿通された位置決め用クリップ１０がレール部材３０の上方から抜け出すことを阻止することができる。
このように、底部１０ａ、押圧部１０ｂ、当接部１０ｃおよび力点部１０ｄの一部が空間部３０ｄに挿入された状態で（図５（ｂ）参照）、押圧部１０ｂが側面部３０ｂを押圧し、当接部１０ｃが係合部３０ｆに当接（面接触）することで、位置決め用クリップ１０はレール部材３０に対して固定される。
【００５１】
尚、位置決め用クリップ１０をレール部材３０から取り外すときは、開口部３０ｅから抜き出すことができる程度まで力点部１０ｄを押圧し、収縮状態の位置決め用クリップ１０を空間部３０ｄおよび開口部３０ｅから抜き出す。
【００５２】
次に、反射部材４の角度調節動作について、図２および図６を参照して説明する。
反射部材４を引き出し、外力を全く加えない状態では、引き出された反射部材４は窓部９と平行な状態で静止する。そこで位置決め用クリップ１０をレール部材３０の室内側寄りの場所に係合させると、反射部材４と窓部９とのなす角度θは大きくなり（図２参照）、位置決め用クリップ１０をレール部材３０の室外側寄りの場所に係合させると、前記角度θは小さくなる（図６参照）。
すなわち、位置決め用クリップ１０とレール部材３０との係合位置を室内側から室外側に変更していくと、反射部材４と窓部９とのなす角度θは段々小さくなり、逆に位置決め用クリップ１０とレール部材３０との係合位置を室外側から室内側に変更していくと、反射部材４と窓部９とのなす角度θは段々大きくなる。
つまり、位置決め用クリップ１０のレール部材３０上における位置を変化させることで、反射部材４の傾斜を自在に変化させることが可能になる。
【００５３】
次に、反射部材４の巻き取り及び引き出し動作（開閉動作）について、図２および図７を参照して説明する。
反射部材４（スクリーン４４）が下部７の近傍まで引き出された状態（図２参照）から位置決め用クリップ１０をレール部材３０から取り外すとともに、操作チェーンを操作して巻取軸４３をスクリーン巻き取り方向に回転させると、巻取軸４３に反射部材４が巻き取られ、反射部材４およびウェイトバー４５が上昇する（図７（ａ）参照）。
さらに、操作チェーンを操作して巻取軸４３をスクリーン巻き取り方向に回転させると、反射部材４は、巻取軸４３に完全に巻き取られる（図７（ｂ）参照）。
【００５４】
一方、反射部材４を巻取軸４３に巻き取った状態（図７（ｂ）参照）から、操作チェーンを操作して巻取軸４３をスクリーン引き出し方向に回転させると、巻取軸４３から反射部材４が引き出されて、反射部材４およびウェイトバー４５が下降する（図７（ａ）参照）。
さらに、操作チェーンを操作して巻取軸４３をスクリーン引き出し方向に回転させると、反射部材４は、下部７の近傍まで引き出される（図２参照）。
このように、本実施形態の反射部材４は、巻き取り及び引き出し可能に設けられているため、採光用開口部６ａからの太陽光の反射を行うことができる。
【００５５】
以上説明した第１の実施形態に係る出窓採光装置１によれば、上部６に採光用開口部６ａが形成されるとともに、採光用開口部６ａの下方に反射部材４が配置されて、採光用開口部６ａから入射する太陽光を室内に向けて反射させるので、太陽光を効率良く室内に導くことができる。
また、下部７にレール部材３０が設けられるとともに、反射部材４の下端に連結部材１１を介してレール部材３０と係合可能な位置決め用クリップ１０が設けられ、レール部材３０と位置決め用クリップ１０との係合位置を変更することにより、窓部９に対する反射部材４の角度θ（反射部材４と窓部９とのなす角度θ）を調節できるため、採光用開口部６ａから入射した太陽光の採光量を調節することができる。
【００５６】
また、蓋部６ｂが採光用開口部６ａを開閉可能に覆うことができるとともに、反射部材４が巻き取り及び引き出し可能に設けられているので、採光の自由度が高まる。
尚、直射日光が窓部９に当たる状況において、太陽光を室内に採り入れたいときには、反射部材４を巻き取って窓部９を覆わず、窓部９に当たる太陽光をそのまま室内に入射させることができる。また、太陽光を室内に採り入れたくないときには、採光用開口部６ａを蓋部６ｂで覆うとともに、反射部材４を引き出して窓部９を覆うことにより、採光用開口部６ａから放光される太陽光を遮断するとともに、窓部９に当たる太陽光を遮蔽することができる。
【００５７】
一方、直射日光が窓部９に当たらない状況において、太陽光を室内に採り入れたいときには、蓋部６ｂで採光用開口部６ａを覆わず、反射部材４を引き出して窓部９を覆えばよい。すなわち、蓋部６ｂで採光用開口部６ａを覆わず、反射部材４を引き出して窓部９を覆うことにより、採光用開口部６ａから窓部９に向かって放光された太陽光を室内に向けて反射させることができる。太陽光を室内に採り入れたくないときには、蓋部６ｂで採光用開口部６ａを覆うとともに、反射部材４を引き出して窓部９を覆えばよい。すなわち、採光用開口部６ａを蓋部６ｂで覆うとともに、反射部材４を引き出して窓部９を覆うことにより、採光用開口部６ａから放光される太陽光を遮断するとともに、窓部９から入射する太陽光（拡散光）を遮蔽することができる。
【００５８】
また、直射日光が窓部９に当たらない状況において、太陽光を室内に採り入れる場合には、反射部材４の角度調節をしなくても採光量を調節することが可能である。すなわち、採光用開口部６ａ及び窓部９を覆わないようにすると、採光用開口部６ａを覆わず、且つ窓部９を覆った場合に比べて室内に入る太陽光の量を少なくすることができる。また、採光用開口部６ａを覆い、且つ窓部９を覆わないようにすると、採光用開口部６ａ及び窓部９を覆わないようにした場合に比べて室内に入る太陽光の量を少なくすることができる。
【００５９】
また、反射部材４を巻き取ることにより、窓部９からの眺望性や窓部９の通風性も確保することができる。例えば、直射日光が窓部９に当たらない状況において、太陽光を室内に採り入れたいときには、反射部材４を窓部９の上下方向の中央に位置させると、窓部９からの眺望性や窓部９の通風性も確保しつつ、採光用開口部６ａから入射する太陽光を効率良く室内に導くことができる（図７（ａ）参照）。
【００６０】
また、反射部材４は、側部８が通風可能になるように設置されているので、側部８の通風性を確保しつつ、採光用開口部６ａから入射する太陽光を効率良く室内に導くことができる。
【００６１】
また、反射部材４の反射面は、拡散反射面から成るので、拡散反射面で反射した太陽光が、室内に向かって均一に広がるため、太陽光のムラを抑えることができる。
【００６２】
また、反射部材４の反射面は、金属素材、樹脂素材、繊維素材、または金属素材と樹脂素材との複合素材のうち特に反射率の高い素材で構成することで、採光用開口部６ａから採り入れた太陽光を大幅に減衰させることなく、室内まで導くことができる。
【００６３】
また、採光用開口部６ａに光ダクト３が連結されているので、建物Ｔ内の日の当たらない暗い場所にも太陽光を導くことができ、安定した明るさを確保することができる。
【００６４】
また、光ダクト３は、建物Ｔの外壁に取り付けられており、既設建物にも容易に設置することができる。すなわち、光ダクト３は、建物Ｔの外壁に取り付け可能であるので、既設建物にも設置することが可能となる。
【００６５】
以上、本発明の実施形態について説明したが、本発明の趣旨を逸脱しない範囲で適宜変更して実施できるのはいうまでもない。本実施形態では、本発明を戸建て住宅に用いたが、例えば、マンションやアパートなどに用いても構わない。
【００６６】
また、本実施形態では、本発明を平面視台形状の出窓ユニット２に用いたが、例えば、平面視三角形状、平面視四角形状、平面視多角形状（ベイウィンドウ）、平面視弓形状（ボウウィンドウ）などの出窓ユニット２に用いても構わない。
【００６７】
また、本実施形態の枠５は、アルミニウム合金から形成されているが、これに限定されることなく、適宜変更してもよい。例えば、ステンレス鋼など、アルミニウム合金以外の金属材で枠５を形成してもよいし、合成樹脂や木材などのようなアルミニウム合金に比べて断熱効果の高い部材で枠５を形成しても構わない。
【００６８】
また、上部６の採光用開口部６ａの形状および数は、適宜変更してもよい。例えば、平面視円形状の採光用開口部６ａを２つ設けても構わない。
【００６９】
また、本実施形態では、採光用開口部６ａを上部６の長手方向の略中央に設置したが、これに限定されることなく、側部８，８のどちらか一方の近傍に設置してもよい。
【００７０】
また、本実施形態では、上部６の一部に採光用開口部６ａを設けたが、上部６全体を開口してもよい。例えば、出窓ユニット２の上面に天板などを設置せずに開放して、その開口面に適合するように放光口３ｂを設置してもよい。このようにすると、建物Ｔ内へ太陽光をより多く採り入れることができる。
【００７１】
また、採光用開口部６ａを開閉可能に覆う蓋部６ｂを設けなくてもよい。この場合には、直射日光が窓部９に当たらない状況において、出窓採光装置１を用いることが望ましい。尚、太陽光を室内に採り入れたいときには、反射部材４を引き出して窓部９を覆い、太陽光を室内にあまり採り入れたくないときには、反射部材４を巻き取って窓部９を覆わなければよい。すなわち、反射部材４を巻き出して窓部９を覆うことにより、採光用開口部６ａから窓部９に向かって放光された太陽光を室内に向けて反射させることができる。一方、反射部材４を巻き取って窓部９を覆わないことにより、室内に入る太陽光の量を少なくすることができる。
【００７２】
また、図８に示すように、下部７に採光用開口部７ａを設けてもよい。尚、上部６と下部７の両方に採光用開口部を設けても構わない。
【００７３】
図８に示すように、下部７に採光用開口部７ａを設けた場合には、ロールスクリーンの上下の位置が逆にして設置されている。すなわち、フレーム４１は、取付ブラケット（図示省略）を介して、下部７の上面に固定されている。また、一対の支持ブラケット４２，４２は、フレーム４１の両端部に取り付けられ、この支持ブラケット４２，４２間に巻取軸４３が回転自在な状態で取り付けられている。
【００７４】
スクリーン４４（反射部材４）は、巻取軸４３に巻回されており、スクリーン４４の上端側（先端側）を引き出し可能となっている。スクリーン４４の下端（基端）は、フレーム４１、支持ブラケット４２及び巻取軸４３を介して下部７に固定されている。また、スクリーン４４は、採光用開口部７ａの上方（上側）に配置されている。
【００７５】
ウェイトバー４５は、スクリーン４４の上端に取り付けられている。ウェイトバー４５には、連結部材１１が取り付けられている。また、係合部材たる位置決め用クリップ１０が、連結部材１１を介して反射部材４に連結されている。
被係合部材たるレール部材３０は、溝部６１に沿って上部６に取り付けられている。
【００７６】
このように下部７に採光用開口部７ａを設けても、本実施形態と略同等の作用効果を奏することができる。
すなわち、下部７に採光用開口部７ａが形成されるとともに、採光用開口部７ａの上方に反射部材４が配置されて、採光用開口部７ａから入射する太陽光を室内に向けて反射させるので、太陽光を効率良く室内に導くことができる。
また、上部６にレール部材３０が設けられるとともに、反射部材４の上端に連結部材１１を介してレール部材３０と係合可能な位置決め用クリップ１０が設けられ、レール部材３０と位置決め用クリップ１０との係合位置を変更することにより、窓部９に対する反射部材４の角度θ（反射部材４と窓部９とのなす角度θ）を調節できるため、採光用開口部７ａから入射した太陽光の採光量を調節することができる。
【００７７】
また、本実施形態の側部８，８は、窓であるが、壁にしてもよい。また、側部８のうちいずれか一方を窓にして、側部８のうちいずれか他方を壁にしてもよい。
【００７８】
また、本実施形態では、側部８，８は、片開き窓であり、窓部９は、引き違い窓であるが、これに限定されることなく、公知の窓形式を適宜選択して用いることができる。例えば、引き違い窓、開き窓、上げ下げ窓（縦辷り出し窓）、ＦＩＸ窓（嵌め殺し窓）などの中から適宜選択して、全ての側部８および窓部９を同一の窓形式にしてもよいし、異なる窓形式を組み合わせても構わない。また、一対の側部８，８をそれぞれ異なる窓形式にしても構わない。例えば、一方の側部８を開き窓として、他方の側部８を上げ下げ窓などにしても構わない。また、側部８および窓部９に、障子、網戸、面格子、装飾格子などを設けても構わない。
【００７９】
また、光ダクト３の採光口３ａまたは放光口３ｂと透光カバーとの間にシール材を介設してもよいし、光ダクト３の放光口３ｂ側の透光カバーと出窓ユニット２との間にシール材を介設してもよい。
【００８０】
また、光ダクト３は、ハニカムパネルで構成されてもよい。このようにすると、光ダクト３の軽量化を図ることが可能になるので、取扱いが容易となり、出窓採光装置１の設置時の作業効率が向上する。また、既設建物の耐荷重にも幅広く適合しやすくなるため、既設建物への設置の自由度が高まる。
【００８１】
また、光ダクト３は、断熱パネルで構成されてもよい。このようにすると、光ダクト３の反射面での結露を防止することが可能になり、採光効率の低下を抑制することができる。
【００８２】
また、図示は省略するが、光ダクト３の採光口３ａに太陽追尾装置を設けてもよいし、光ダクト３を建物Ｔの内部に取り付けても構わない。
【００８３】
また、本実施形態では、建物Ｔに出窓ユニット２が１つ設置されている場合について述べたが、出窓ユニット２が複数ある場合には、出窓ユニット２ごとに光ダクト３を設置してもよいし、１つの光ダクト３の端部を分岐させて、複数の放光口３ｂを形成し、複数の出窓ユニット２の採光用開口部に連通しても構わない。このようにすると、光ダクト３の数を減らすことができるため、光ダクト３の施工コストおよび施工手間を低減することができる。
【００８４】
また、本実施形態では、光ダクト３を設置したが、これに限定されることなく光ダクト３を設置しなくてもよい。
【００８５】
また、本実施形態では、チェーン式のロールスクリーンを用いたが、これに限定されることなく、公知のロールスクリーンを適宜選択して用いることができる。例えば、スプリング式のロールスクリーンを用いてもよいし、電動式ロールスクリーンを用いても構わない。
【００８６】
また、本実施形態では、反射面を微細な凹凸が形成されている拡散反射面にしたが、これに限定されることなく、例えば、平滑な反射面にしてもよい。また、反射面を明色にしてもよい。このようにすると、適度な明るさを確保しつつ、眩しさを軽減することができる。尚、反射部材４に絵や図柄などを描いてもよい。このようにすると、意匠的に好適である。
【００８７】
また、図９（ａ）に示すように、反射部材４にその厚さ方向に貫通する複数の円形状の通風孔４４ａ，４４ａ・・・を形成してもよい。このようにすると、窓部９の通風性を確保しつつ、採光用開口部６ａから入射する太陽光を効率良く室内に導くことができる。尚、通風孔４４ａの形状、大きさ、数は、これに限定されることなく、適宜変更してもよい。
【００８８】
また、図９（ｂ）に示すように、反射部材４にその厚さ方向に貫通する複数の矩形状の通風スリット４４ｂ，４４ｂ・・・を形成してもよい。このようにすると、窓部９の通風性を確保しつつ、採光用開口部６ａから入射する太陽光を効率良く室内に導くことができる。尚、通風スリット４４ｂの形状、大きさ、数は、これに限定されることなく、適宜変更してもよい。
【００８９】
また、図１０（ａ）に示すように、反射部材４の形状を網状に形成してもよい。このようにすると、窓部９の通風性を確保しつつ、採光用開口部６ａから入射する太陽光を効率良く室内に導くことができる。
【００９０】
また、図１０（ｂ）に示すように、出窓ユニット２の開口部Ｋにステンドグラス１２を設置してもよい。このようにすると、建物Ｔの室内に光の演出をすることができるため、意匠的に好適である。尚、ステンドグラス１２に代えて、影絵や透かし絵などを設置してもよい。このようにしても、建物Ｔの室内に光の演出をすることができるため、意匠的に好適である。
【００９１】
また、本実施形態では、ロールスクリーンを用いたが、これに代えてブラインドを用いてもよい。すなわち、本実施形態の反射部材４は、スクリーン４４の片面に反射面を設けたものであるが、図１１に示すように、ブラインドの一部を構成するスラット４ａの片面に反射面を設けたものを用いてもよい。尚、ブラインドは、公知のブラインドの中から適宜選択して用いることができる。
このようにすると、昇降コード（図示省略）を操作して、反射部材４を昇降させることができるため、本実施形態と同様に採光の自由度が高まる。
尚、直射日光が窓部９に当たる状況において、太陽光を室内に採り入れたいときには、反射部材４を上昇させて窓部９を覆わず、窓部９に当たる太陽光をそのまま室内に入射させることができる。また、太陽光を室内に採り入れたくないときには、採光用開口部６ａを蓋部６ｂで覆うとともに、反射部材４を下降させて窓部９を覆うことにより、採光用開口部６ａから放光される太陽光を遮断するとともに、窓部９に当たる太陽光を遮蔽することができる。
【００９２】
一方、直射日光が窓部９に当たらない状況において、太陽光を室内に採り入れたいときには、蓋部６ｂで採光用開口部６ａを覆わず、反射部材４を下降させて窓部９を覆えばよい。すなわち、蓋部６ｂで採光用開口部６ａを覆わず、反射部材４を下降させて窓部９を覆うことにより、採光用開口部６ａから窓部９に向かって放光された太陽光を室内に向けて反射させることができる。太陽光を室内に採り入れたくないときには、蓋部６ｂで採光用開口部６ａを覆うとともに、反射部材４を下降させて窓部９を覆えばよい。すなわち、採光用開口部６ａを蓋部６ｂで覆うとともに、反射部材４を下降させて窓部９を覆うことにより、採光用開口部６ａから放光される太陽光を遮断するとともに、窓部９から入射する太陽光（拡散光）を遮蔽することができる。
【００９３】
また、直射日光が窓部９に当たらない状況において、太陽光を室内に採り入れる場合には、反射部材４の角度調節をしなくても採光量を調節することが可能である。すなわち、採光用開口部６ａ及び窓部９を覆わないようにすると、採光用開口部６ａを覆わず、且つ窓部９を覆った場合に比べて室内に入る太陽光の量を少なくすることができる。また、採光用開口部６ａを覆い、且つ窓部９を覆わないようにすると、採光用開口部６ａ及び窓部９を覆わないようにした場合に比べて室内に入る太陽光の量を少なくすることができる。
【００９４】
また、反射部材４を上昇させることにより、窓部９からの眺望性や窓部９の通風性も確保することができる。例えば、直射日光が窓部９に当たらない状況において、太陽光を室内に採り入れたいときには、反射部材４を窓部９の上下方向の中央に位置させると、窓部９からの眺望性や窓部９の通風性も確保しつつ、採光用開口部６ａから入射する太陽光を効率良く室内に導くことができる。
さらに、スラット４ａに反射面を設けて反射部材４を形成すると、操作棒４ｂにより、複数のスラット４ａ，４ａ・・・の角度を調節することができるため、採光用開口部６ａから入射する太陽光を確実に室内に導くことができる。また、スラット４ａの角度を調節してスラット４ａ間に隙間を形成することにより、反射部材４を下部７の近傍まで下降させた状態のまま窓部９からの眺望性および窓部９の通風性を確保することができる。
【００９５】
次に、溝部および角度調節機構の変形例について、図１２乃至図１４を参照して説明する。
【００９６】
変形例に係る溝部７２は、図１２に示すように、断面視矩形状を呈し、反射部材４と交差する方向（直交する方向）に形成されている。
【００９７】
変形例に係る角度調節機構Ａは、図１２に示すように、位置決め用フック２０と、固定部材４０とから主に構成されている。
【００９８】
位置決め用フック２０は、図１３に示すように、基部２０ａと、突出部２０ｂとから主に構成されている。位置決め用フック２０は、図１２に示すように、連結部材１１を介して反射部材４に連結している。
【００９９】
基部２０ａは、円柱形状を呈する。基部２０ａの高さは、溝部７２の深さより小さく形成されており、また基部２０ａの径は、溝部７２の幅より小さく形成されている（図１４（ｃ）参照）。従って、基部２０ａ全体を溝部７２内に挿入することができる。
【０１００】
突出部２０ｂは、基部２０ａの中央部分から上方に突出形成されている。また、突出部２０ｂは、その先端側に水平方向に貫通する貫通孔２０ｃが形成されている。貫通孔２０ｃには、連結部材１１のリング状部材１１ｂが挿通されている。
【０１０１】
固定部材４０は、図１２に示すように、平面視矩形状を呈する薄板状の部材であり、例えば、金属、木材、合成樹脂などの材料から形成されている。固定部材４０は、溝部７２の開口面を上方から覆うように溝部７２の長手方向に沿って設けられる。固定部材４０は、その短手方向の両端が下部７の上面に当接した状態において、ねじ止めにより機械的に下部７に固定されている。また、固定部材４０には、板厚方向に貫通する複数の貫通孔４０Ａ，４０Ａ・・・が形成されている。尚、固定部材４０は、貫通孔４０Ａが溝部７２に連通するように下部７に固定されている。
【０１０２】
貫通孔４０Ａは、固定部材４０の長手方向に沿って等間隔で並設されており、挿通孔４０ｂと、固定孔４０ｃとから構成されている。
【０１０３】
挿通孔４０ｂは、平面視円形状を呈し、固定孔４０ｃの一端に連通して形成されている。挿通孔４０ｂは、位置決め用フック２０の基部２０ａより大径に形成されている。これにより、基部２０ａが挿通孔４０ｂに挿通可能になっている。
【０１０４】
固定孔４０ｃは、平面視矩形状を呈する。固定孔４０ｃの短手方向の幅は、突出部２０ｂの水平方向の幅より大きく形成されている。これにより、突出部２０ｂが固定孔４０ｃに挿入可能になっている（図１４（ｃ）参照）。
また、固定孔４０ｃの短手方向の幅は、位置決め用フック２０の基部２０ａの径より小さく形成されている（図１４（ｃ）参照）。これにより、位置決め用フック２０の突出部２０ｂを固定孔４０ｃに挿入した際に、基部２０ａの上面２０ｄが固定部材４０の下面４０ｄに当接（面接触）し、位置決め用フック２０が溝部７２から抜け出すことを阻止することができる。
【０１０５】
次に、位置決め用フック２０の固定方法について、図１４を参照して説明する。
【０１０６】
まず、位置決め用フック２０の基部２０ａを固定部材４０の挿通孔４０ｂから溝部７２に挿入する（図１４（ａ）参照）。
基部２０ａを溝部７２に挿入後、位置決め用フック２０を固定孔４０ｃ側にスライドさせて、突出部２０ｂを固定孔４０ｃに挿入する。このとき突出部２０ｂを、その一端が固定孔４０ｃの内壁面に接触するまで挿入する（図１４（ｂ）参照）。
突出部２０ｂを固定孔４０ｃに挿入後、反射部材４を上昇させる。
反射部材４を上昇させると、位置決め用フック２０が上方に引っ張られ、基部２０ａの上面２０ｄの一部が固定部材４０の下面４０ｄに当接（面接触）する。
これにより、位置決め用フック２０が溝部７２から抜け出すことを阻止することができるとともに、位置決め用フック２０が固定部材４０に対して固定される。
【０１０７】
尚、位置決め用フック２０を固定部材４０から取り外すときは、反射部材４を下降させるとともに、位置決め用フック２０を挿通孔４０ｂ側にスライドさせて、突出部２０ｂを固定孔４０ｃから出し、また位置決め用フック２０を上方に向かって持ち上げて基部２０ａを溝部７２および挿通孔４０ｂから抜き出す。
【０１０８】
次に、反射部材４の角度調節動作について説明する。
反射部材４を引き出し、外力を全く加えない状態では、引き出された反射部材４は窓部９と平行な状態で静止する。そこで位置決め用フック２０を固定部材４０の室内側寄りの場所に係合させると、反射部材４と窓部９とのなす角度θは大きくなり、位置決め用フック２０を固定部材４０の室外側寄りの場所に係合させると、前記角度θは小さくなる。
すなわち、位置決め用フック２０と固定部材４０との係合位置を室内側から室外側に変更していくと、反射部材４と窓部９とのなす角度θは段々小さくなり、逆に位置決め用フック２０と固定部材４０との係合位置を室外側から室内側に変更していくと、反射部材４と窓部９とのなす角度θは段々大きくなる。
つまり、位置決め用フック２０の固定部材４０上における位置を変化させることで、反射部材４の傾斜を自在に変化させることが可能になる。
【０１０９】
以上説明した変形例に係る出窓採光装置によれば、本実施形態に係る出窓採光装置と略同等の効果を得ることができる。
また、位置決め用フック２０を固定部材４０の挿通孔４０ｂから溝部７２に挿入するとともに、スライドさせて固定孔４０ｃに挿入するだけで位置決め用フック２０を固定部材４０に固定することができるため、位置決め用フック２０と固定部材４０との係合位置を容易に変更することができ、ひいては窓部９に対する反射部材４の角度調節を簡易に行うことが可能となる。
【０１１０】
次に、本発明の第２の実施形態について、図１５乃至図１７を参照して説明する。尚、第２の実施形態に係る出窓採光装置１Ａの説明においては、第１の実施形態に係る出窓採光装置１と重複する部分については、説明を省略する。
【０１１１】
第２の実施形態に係る出窓採光装置１Ａは、出窓ユニット２と、光ダクト３と、反射部材４と、上下一対のガイドレール１３ａ，１３ｂと、複数の被係合部１４・・・とから主に構成されている。
【０１１２】
図１５に示すように、第２の実施形態に係る出窓採光装置１Ａの光ダクト３は、その放光口３ｂの開口端が側部８の窓面（外面）に当接するように設置されている。
尚、この側部８に板厚方向に貫通する採光用開口部を形成し、採光用開口部に放光口３ｂが連通するように光ダクト３を設置してもよいし、また、側部８を壁にするとともに、側部８に板厚方向に貫通する採光用開口部を形成し、この採光用開口部に放光口３ｂが連通するように光ダクト３を設置しても構わない。
【０１１３】
ガイドレール１３ａ，１３ｂは、側部８及び窓部９の上縁部及び下縁部の内側に設けられたレール部材であり、アルミニウム合金製の押出形材によって形成されている。
上下のガイドレール１３ａ，１３ｂは、側部８及び窓部９の上縁部及び下縁部に沿って形成されており、上側のガイドレール１３ａと下側のガイドレール１３ｂとは対向して平行に設けられている。
上側のガイドレール１３ａには、下向きに開口したレール溝１３ｒが形成されている。このレール溝１３ｒは、ガイドレール１３ａの幅方向の中央部に開口したスリット状の開口部と、この開口部よりも溝幅が広く形成された内部とが形成されている。
下側のガイドレール１３ｂは、前記した上側のガイドレール１３ａと同じ構成であり、上下の向きが反対に取り付けられている。
【０１１４】
被係合部１４は、ロールスクリーンのウェイトバー４５と係合する部位であり、図１５に示すように、ガイドレール１３ａ，１３ｂ、上部６及び下部７に設けられた穴部である。
【０１１５】
上下のガイドレール１３ａ，１３ｂのレール溝１３ｒには、複数の被係合部１４・・・がレール溝１３ｒに沿って所定の間隔で形成されている。上側のガイドレール１３ａの各被係合部１４・・・と、下側のガイドレール１３ｂの各被係合部１４・・・は、それぞれ上下に対向する位置に形成されている。上下のガイドレール１３ａ，１３ｂにおいて、被係合部１４が設けられた部位は、レール溝１３ｒの開口部が広く切り欠かれている。
【０１１６】
上部６及び下部７において、建物の開口部Ｋに接続された縁部には、複数の被係合部１４・・・が縁部に沿って所定の間隔で形成されている。上部６の各被係合部１４・・・と、下部７の各被係合部１４・・・は、それぞれ上下に対向する位置に形成されている。
【０１１７】
なお、上下一対の被係合部１４，１４の位置や数は限定されるものではない。後記するように、上下一対の被係合部１４，１４にウェイトバー４５が係合されることで、スクリーン４４の角度が定まるため、この点を考慮して、被係合部１４の位置や数が設定されている。
また、上下のガイドレール１３ａ，１３ｂを設けずに、複数の被係合部１４・・・だけを設けてもよい。さらに、側部８及び窓部９の上縁部及び下縁部の内側、さらには建物の開口部Ｋに接続された縁部に亘って上下のガイドレール１３ａ，１３ｂを設けても構わない。
【０１１８】
フレーム４１は、図１５に示すように、長手方向が上下方向に配置されており、上部６と下部７との間に収まる高さに形成されている。
フレーム４１の上端部及び下端部には、出窓ユニット２の建物Ｔ側に張り出した一対の支持ブラケット４２，４２が設けられている。支持ブラケット４２，４２は、接合金具（図示省略）によって上部６の下面および下部７の上面に固定されている。
【０１１９】
巻取軸４３は、図１５に示すように、上端部及び下端部が支持ブラケット４２，４２に回転自在な状態で取り付けられている。
【０１２０】
スクリーン４４（反射部材４）は、巻取軸４３に巻回されており、スクリーン４４の先端側を引き出し可能となっている。スクリーン４４の基端は、フレーム４１、支持ブラケット４２及び巻取軸４３を介して上部６及び下部７に固定されている。また、スクリーン４４は、側部８の内側（側方）に配置されている。
【０１２１】
ウェイトバー４５は、スクリーン４４の先端に取り付けられており、図１６（ａ）に示すように、円筒状のウェイトバー本体４６と、このウェイトバー本体４６の上面に設けられた上側当接部４７と、ウェイトバー本体４６の下面から突出しているウェイトバー係合部材４８と、を備えている。
【０１２２】
ウェイトバー本体４６は、図１６に示すように、円筒状部材であり、出窓ユニット２の上部６と下部７との間に収まる高さに形成されている。
【０１２３】
上側当接部４７は、図１６（ａ）に示すように、ウェイトバー本体４６の上面に立設された円柱状の部材であり、上端部は拡径されており、その上面に滑り止め用の固定部材４７ａが貼着されている。この固定部材４７ａは、弾性材料を用いて形成されており、本実施形態ではゴムシートを用いている。また、上側当接部４７は、被係合部１４内に挿入可能な大きさに形成されている。
【０１２４】
ウェイトバー係合部材４８は、棒状部材であり、ウェイトバー本体４６内に挿入され、下部はウェイトバー本体４６の下面に形成された孔部から突出している。
【０１２５】
ウェイトバー係合部材４８の上端部には、横方向に突出した可動レバー４８ａが形成されている。この可動レバー４８ａの先端部は、ウェイトバー本体４６の側壁に形成された開口部４６ａから外部に突出している。
ウェイトバー本体４６の開口部４６ａは上下方向に延びているため、可動レバー４８ａを開口部４６ａ内で上下方向に移動させることができる。なお、ウェイトバー本体４６の開口部４６ａの上縁部には、可動レバー４８ａに対向するように固定レバー４６ｂが突出している。
【０１２６】
ウェイトバー係合部材４８の下端部には、拡径された下側当接部４８ｂが形成されている。下側当接部４８ｂの下面には、固定部材４８ｃが貼着されている。この固定部材４８ｃは、弾性材料を用いて形成された滑り止め用の部材であり、本実施形態ではゴムシートを用いている。
【０１２７】
ウェイトバー係合部材４８においてウェイトバー本体４６に収容されている部位には、拡径されたコイルばね支持部４８ｄが形成されている。このコイルばね支持部４８ｄは、ウェイトバー本体４６の内部に配置されている。
また、ウェイトバー本体４６の内面において、開口部４６ａよりも下側の位置には、内面から突出した縮径部４６ｃが形成されている。ウェイトバー係合部材４８のコイルばね支持部４８ｄは、ウェイトバー本体４６の縮径部４６ｃよりも下側に配置されており、縮径部４６ｃとコイルばね支持部４８ｄとの間にコイルばね４９が配置されている。
【０１２８】
コイルばね４９は、軸方向に伸縮自在な公知の弾性部材であり、上端部はウェイトバー本体４６の縮径部４６ｃの下面に係合され、下端部はウェイトバー係合部材４８のコイルばね支持部４８ｄの上面に係合されている。
そして、コイルばね４９の弾性力によってウェイトバー本体４６は押し上げられ、上側当接部４７の固定部材４７ａは、上部６の被係合部１４内に押し付けられる。
また、コイルばね４９の弾性力によってウェイトバー係合部材４８は押し下げられ、下側当接部４８ｂの固定部材４８ｃは、下部７の被係合部１４内に押し付けられる。
このように、ウェイトバー係合部材４８を上下一対の被係合部１４，１４に押し付けて係合することで、ウェイトバー４５を任意の被係合部１４，１４に取り付けることができる。
【０１２９】
ウェイトバー４５と被係合部１４，１４との係合状態を解除するときには、図１６（ｂ）に示すように、ウェイトバー本体４６の外面に突出した可動レバー４８ａを手動で上方に移動させて、ウェイトバー係合部材４８を上方に移動させることで、コイルばね４９をコイルばね支持部４８ｄによって押し込んで収縮させる。
なお、ウェイトバー本体４６の固定レバー４６ｂと可動レバー４８ａとを片手で摘んで、固定レバー４６ｂに対して可動レバー４８ａを引き寄せることで、ウェイトバー係合部材４８を簡単に移動させることができる。
【０１３０】
ウェイトバー係合部材４８が上方に移動すると、ウェイトバー４５が上部６と下部７との間に収まる高さに収縮され、ウェイトバー４５と上下一対の被係合部１４，１４との係合状態が解除される。
すなわち、ウェイトバー係合部材４８の可動レバー４８ａは、ウェイトバー係合部材４８をコイルばね４９の弾性力に抗して移動させるための操作子であり、ウェイトバー４５と被係合部１４との係合を解除する係合解除手段を構成するものである。
【０１３１】
ウェイトバー４５と上下一対の被係合部１４，１４との係合が解除された状態では、ウェイトバー４５全体が上部６と下部７との間に収まる高さとなっているため、ウェイトバー４５を横方向に移動自在となる。
そして、ウェイトバー４５を移動させた後に、上下一対の被係合部１４，１４の間で可動レバー４８ａから手を離すと、図１６（ａ）に示すように、コイルばね４９の弾性力によってウェイトバー４５が上下一対の被係合部１４，１４に押し付けられて係合した状態となる。
【０１３２】
以上説明した第２の実施形態に係る出窓採光装置１Ａによれば、側部８の内側に反射部材４が配置されて、側部８及び光ダクト３から入射する太陽光を室内に向けて反射させるので、太陽光を効率良く室内に導くことができる。
また、側部８に対する反射部材４の角度θ（反射部材４と側部８とのなす角度θ）を変更し、反射部材４の片面に形成された反射面の角度を調節することで、側部８や光ダクト３から入射した太陽光の採光量を調節することができる。
さらに、図１７に示すように、ウェイトバー４５と被係合部１４との係合位置を変更することで、側部８に対する反射部材４の角度θを変更することができるため、窓からの眺望性及び窓の通風性を確保することができる。
【０１３３】
また、図１６（ａ）に示すように、ウェイトバー本体４６からウェイトバー係合部材４８を伸長させて、ウェイトバー４５の上側当接部４７及びウェイトバー係合部材４８を上下一対の被係合部１４，１４に押し付けて係合させることで、ウェイトバー４５を簡単に位置決めすることができる。
このとき、上側当接部４７及びウェイトバー係合部材４８の下側当接部４８ｂに貼着された固定部材４７ａ，４８ｃと上下の被係合部１４，１４との間に生じる摩擦力によって、ウェイトバー４５が被係合部１４に対して確実に係合するため、引き出されたスクリーン４４（図１５参照）を確実に固定することができる。
【０１３４】
また、図１６（ｂ）に示すように、ウェイトバー４５の可動レバー４８ａを操作して、ウェイトバー４５内のウェイトバー係合部材４８を移動させることで、ウェイトバー４５と被係合部１４，１４との係合状態を解除し、ウェイトバー４５を移動させることができるため、側部８に対する角度調節を簡単に変更することができる。
【図面の簡単な説明】
【０１３５】
【図１】第１の実施形態に係る出窓採光装置の設置状態を示す全体斜視図である。
【図２】第１の実施形態に係る出窓採光装置の構成を示す斜視図である。
【図３】図２に示す出窓採光装置の下部周辺の構成を示す部分拡大破断斜視図である。
【図４】第１の実施形態に係る係合部材の構成を示す斜視図である。
【図５】（ａ）は、係合部材を被係合部材に固定する前の状態を示す断面図であり、（ｂ）は、係合部材を被係合部材に固定した状態を示す図３のＸ−Ｘ線断面図である。
【図６】係合部材と被係合部材との係合位置を室外側に設定したときの出窓採光装置の状態を示す斜視図である。
【図７】（ａ）は、反射部材を窓部の中央に位置させたときの出窓採光装置の状態を示す斜視図であり、（ｂ）は、反射部材を完全に巻き取ったときの出窓採光装置の状態を示す斜視図である。
【図８】変形例に係る出窓採光装置の構成を示す斜視図である。
【図９】（ａ）は、変形例に係る出窓採光装置の構成を示す斜視図であり、（ｂ）は、変形例に係る出窓採光装置の構成を示す斜視図である。
【図１０】（ａ）は、変形例に係る出窓採光装置の構成を示す斜視図であり、（ｂ）は、変形例に係る出窓採光装置の構成を示す斜視図である。
【図１１】変形例に係る出窓採光装置の構成を示す斜視図である。
【図１２】変形例に係る出窓採光装置の下部周辺の構成を示す部分拡大破断斜視図である。
【図１３】図１２に示す係合部材の構成を示す斜視図である。
【図１４】（ａ）は、係合部材を被係合部材に固定する前の状態を示す平面図であり、（ｂ）は、係合部材を被係合部材に固定した状態を示す平面図であり、（ｃ）は、（ｂ）のＹ−Ｙ線断面図である。
【図１５】第２の実施形態に係る出窓採光装置の構成を示す斜視図である。
【図１６】第２の実施形態のウェイトバーを示した図で、（ａ）はウェイトバーと被係合部との係合状態を示した側断面図、（ｂ）はウェイトバーと被係合部との係合を解除した状態を示した側断面図である。
【図１７】第２の実施形態に係る出窓採光装置の角度調節パターンを示した説明図である。
【符号の説明】
【０１３６】
１（１Ａ）出窓採光装置
２        出窓ユニット
３        光ダクト
３ａ      採光口
３ｂ      放光口
４        反射部材
４４      スクリーン
４４ａ    通風孔
４４ｂ    通風スリット
４５      ウェイトバー
４６      ウェイトバー本体
４６ａ    開口部
４６ｂ    固定レバー
４６ｃ    縮径部
４７      上側当接部
４７ａ    固定部材
４８      ウェイトバー係合部材
４８ａ    可動レバー
４８ｂ    下側当接部
４８ｃ    固定部材
４８ｄ    支持部
４９      コイルばね
５        枠
６        上部
６ａ      採光用開口部
６ｂ      蓋部
６１      溝部
７        下部
７ａ      採光用開口部
７ｂ      蓋部
７１      溝部
７２      溝部
８        側部
９        窓部
１０      位置決め用クリップ（係合部材）
１１      連結部材
１３ａ    ガイドレール
１３ｂ    ガイドレール
１３ｒ    レール溝
１４      被係合部
２０      位置決め用フック（係合部材）
３０      レール部材（被係合部材）
４０      固定部材（被係合部材）
Ａ        角度調節機構
Ｋ        開口部
Ｒ        固定部材
Ｔ        建物
Ｕ１      袖枠ユニット
Ｕ２      正面枠ユニット
【図１】
2010138660.tif 000003
【図２】
2010138660.tif 000004
【図３】
2010138660.tif 000005
【図４】
2010138660.tif 000006
【図５】
2010138660.tif 000007
【図６】
2010138660.tif 000008
【図７】
2010138660.tif 000009
【図８】
2010138660.tif 000010
【図９】
2010138660.tif 000011
【図１０】
2010138660.tif 000012
【図１１】
2010138660.tif 000013
【図１２】
2010138660.tif 000014
【図１３】
2010138660.tif 000015
【図１４】
2010138660.tif 000016
【図１５】
2010138660.tif 000017
【図１６】
2010138660.tif 000018
【図１７】
2010138660.tif 000019